(57)【要約】【課題】  見栄えの改善が可能な充電スタンドを提供する。【解決手段】  ケーブル１１を介して充電用の電源装置に接続されたプラグ１２と、前方に開口してプラグ１２が収納される収納室２０を有するキャビネット２とを備える。さらに、ケーブル１１を引掛可能な程度に収納室２０の内側に突出する引掛位置と、引掛位置よりも収納室の内側への突出寸法を小さくする退避位置との間でキャビネットに対して変位可能に連結されたフック４を備える。キャビネット２においてプラグ１２が収納される収納室２０内に、ケーブル１１が引っ掛けられるフック４が設けられているから、ケーブル１１をキャビネット２の収納室２０内に収納することによる見栄えの改善が可能となる。【選択図】図１
2014072912.tif 000002
【特許請求の範囲】
【請求項１】
ケーブルを介して充電用の電源に接続されるとともに充電の対象に接続されるプラグと、
前方に開口して前記プラグが収納される収納室を有するキャビネットと、
前記ケーブルを引掛可能な程度に前記収納室の内側に突出する引掛位置と前記引掛位置よりも前記収納室の内側への突出寸法を小さくする退避位置との間で前記キャビネットに対して変位可能に連結されたフックとを備えることを特徴とする充電スタンド。
【請求項２】
前記キャビネットに対して先端を上下に変位させるように回転可能に連結された前記フックを備えることを特徴とする請求項１記載の充電スタンド。
【請求項３】
前記キャビネットに対して先端を前後に変位させるように回転可能に連結された前記フックを備えることを特徴とする請求項１又は請求項２記載の充電スタンド。
【請求項４】
前記引掛位置での下面が先端に向かって上方に傾斜した前記フックを備えることを特徴とする請求項１〜３のいずれか１項に記載の充電スタンド。
【請求項５】
前記フックとは異なる材料からなるベースを介して前記収納室の内面に連結された前記フックを備えることを特徴とする請求項１〜４のいずれか１項に記載の充電スタンド。
【請求項６】
前記ケーブルが巻回されるとともに前記フックに引っ掛けられるボビンを備えることを特徴とする請求項１〜５のいずれか１項に記載の充電スタンド。
【発明の詳細な説明】
【技術分野】
【０００１】
本発明は、充電スタンドに関するものである。
【背景技術】
【０００２】
従来から、電気自動車やプラグインハイブリッドカーといった自動車の充電に用いられる充電スタンドが提供されている（例えば、特許文献１参照）。この種の充電スタンドは、上記のような自動車が有する充電用のインレットに挿入接続されるプラグと、プラグを収納するキャビネットとを備える。上記のプラグは、充電に用いられる電源に対しケーブルを介して接続されたものである。
【先行技術文献】
【特許文献】
【０００３】
【特許文献１】特開２０１２−１９６０９号公報
【発明の概要】
【発明が解決しようとする課題】
【０００４】
従来は、上記のケーブルは、キャビネットから引き出され、キャビネットの外側に設けられたケーブル係止具に巻き取られていたため、見栄えが悪かった。また、充電スタンドは屋外に配置されることが多く、上記のようにケーブルがキャビネット外に配置されるとケーブルが泥や埃によって汚れやすい。また、ケーブルを巻き取る際に手が汚れやすい。キャビネット内にケーブルを収納した場合は、巻き取り方法を取ると、より作業が困難である。
【０００５】
本発明は、上記事由に鑑みて為されたものであり、その目的は、見栄えの改善が可能な充電スタンドを提供することにある。
【課題を解決するための手段】
【０００６】
本発明の充電スタンドは、ケーブルを介して電源に接続されるとともに充電の対象に接続されるプラグと、前方に開口して前記プラグが収納される収納室を有するキャビネットと、前記ケーブルを引掛可能な程度に前記収納室の内側に突出する引掛位置と前記引掛位置よりも前記収納室の内側への突出寸法を小さくする退避位置との間で前記キャビネットに対して変位可能に連結されたフックとを備えることを特徴とする。
【０００７】
上記の充電スタンドにおいて、前記キャビネットに対して先端を上下に変位させるように回転可能に連結された前記フックを備えることが望ましい。
【０００８】
上記の充電スタンドにおいて、前記キャビネットに対して先端を前後に変位させるように回転可能に連結された前記フックを備えることが望ましい。
【０００９】
上記の充電スタンドにおいて、前記引掛位置での下面が先端に向かって上方に傾斜した前記フックを備えることが望ましい。
【００１０】
上記の充電スタンドにおいて、前記フックとは異なる材料からなるベースを介して前記収納室の内面に連結された前記フックを備えていてもよい。
【００１１】
上記の充電スタンドにおいて、前記ケーブルが巻回されるとともに前記フックに引っ掛けられるボビンを備えることが望ましい。
【発明の効果】
【００１２】
本発明によれば、ケーブルをフックに引っ掛けてキャビネットの収納室内に収納することによる見栄えの改善が可能となる。また、ケーブルをフックに引っ掛ける際にはフックを一時的に退避位置に変位させることができるから、フックがキャビネットに対して完全に固定されている場合に比べてフックに対するケーブルの引掛が容易である。
【図面の簡単な説明】
【００１３】
【図１】本発明の実施形態において扉体が取り外された状態を示す正面図である。
【図２】同上を示す正面図である。
【図３】同上を示す斜視図である。
【図４】同上の要部を示す斜視図である。
【図５】（ａ）（ｂ）はそれぞれ同上の要部を示す正面図であり、（ａ）は各フックがそれぞれ引掛位置にある状態を示し、（ｂ）は各フックがそれぞれ退避位置にある状態を示す。
【図６】（ａ）〜（ｃ）はそれぞれ同上の要部を示す一部破断した平面図であり、（ａ）は各フックと各ベースとがそれぞれ引掛位置にある状態を示し、（ｂ）は各フックが退避位置にあり各ベースが引掛位置にある状態を示し、（ｃ）は各フックが引掛位置にあり各ベースが退避位置にある状態を示す。
【図７】同上のボビンを示す斜視図である。
【図８】（ａ）（ｂ）はそれぞれ同上の要部を示す斜視図であり、（ａ）はボビンがフックに引っ掛けられる過程を示し、（ｂ）はフックに対するボビンの引掛が完了した状態を示す。
【図９】同上においてボビンがフックから取り外される過程の一例の要部を示す斜視図である。
【図１０】（ａ）（ｂ）はそれぞれ同上の変更例を示す正面図であり、（ａ）は扉体が閉じられた状態を示し、（ｂ）は扉体が取り外された状態を示す。
【図１１】同上の別の変更例の要部を示す斜視図である。
【発明を実施するための形態】
【００１４】
以下、本発明を実施するための最良の形態について、図面を参照しながら説明する。
【００１５】
本実施形態は、図１に示すように、ケーブル１１を介して電源（例えば商用電源。図示せず）に接続されたプラグ１２と、前方に開口してプラグ１２が収納される収納室２０を有するキャビネット２とを備える。プラグ１２は、充電の対象である電気自動車やプラグインハイブリッドカーといった自動車が有する充電用のインレット（図示せず）に挿入接続されるものである。また、ケーブル１１は、電力を伝送する電力線（図示せず）のほか、信号が伝送される信号線（図示せず）を有する。上記のようなプラグ１２やケーブル１１は周知技術で実現可能であるので、詳細な説明は省略する。
【００１６】
以下の説明中では、上下左右は、前方（すなわち収納室２０の開口方向）から見た方向を基準とする。
【００１７】
キャビネット２は、例えば金属からなり、厚さ方向を左右方向に向けて互いに対向しそれぞれ下端を地面８に固定される側壁２１と、側壁２１の上端間に架設される天板２２と、側壁２１の後端間に架設された後壁２３とを備える。収納室２０は、後壁２３の前側において側壁２１間に形成される。また、キャビネット２には、図２及び図３に示すように、収納室２０を開閉する長方形状の本体部３１を有する扉体３が取り付けられている。扉体３は、右端部がキャビネット２に対して前後に変位する形で回転可能となるように、左端部をキャビネット２に軸支されている。また、扉体３の本体部３１の右端部には、本体部３１の前方に突出し本体部３１に対して回転可能なツマミ３２が連結されている。本体部３１の後側には、本体部３１の右方に突出するロック位置と本体部３１の後側に収まるアンロック位置との間でツマミ３２に連動して本体部３１に対して回転するロック片（図示せず）が設けられている。また、キャビネット２において収納室２０の開口の右側には被ロック部２６が設けられている。扉体３が閉じられた状態でツマミ３２が回されてロック片の位置がロック位置とされると、ロック片が被ロック部２６に引っかかることで扉体３の開放が禁止される。
【００１８】
また、本実施形態は、収納室２０の上端部において側壁２１や天板２２に固定された回路ケース２４を備える。回路ケース２４内には充電制御回路（図示せず）が収納されている。上記の充電制御回路は、ケーブル１１中の信号線を介して自動車から入力された信号に従って、電源からケーブル１１への給電をオンオフするものである。上記の充電制御回路において、ケーブル１１の一端部であってプラグ１２が設けられていない側の一端部が接続されるケーブル接続部（図示せず）は、収納室２０内に位置する。上記のケーブル接続部としては、周知のコネクタを用いてもよいし、ねじ端子等の周知の端子構造を有する端子台を用いてもよい。
【００１９】
さらに、収納室２０の左右に対向する内面（すなわち各側壁２１の互いに対向する面）には、それぞれ、図４に示すように、ケーブル１１を引掛可能なフック４が、ベース５を介して連結されている。フック４は例えばアルミニウムからなり、ベース５は例えば鉄からなる。フック４は、ベース５に対し、図５（ａ）や図６（ａ）に示すように先端を水平方向に向ける引掛位置と、図５（ｂ）や図６（ｂ）に示すように先端を上方に向ける退避位置との間で鉛直面内での回転が可能となるように連結されている。すなわち、フック４が退避位置にあるときには、フック４が引掛位置にあるときよりも、収納室２０の内側へのフック４の突出寸法が小さくなる。上記のような連結は、例えばフック４の両側面にそれぞれ突設された互いに同軸の円柱形状の軸突起をそれぞれベース５の軸受け穴に挿入することで実現してもよいし、フック４とベース５とに１個の軸棒を貫通させることで実現してもよい。また、ベース５は上下に長い長方形状であってフック４が挿通されるフック挿通穴５０を有する。ベース５に対するフック４の回転のうち、フック４の先端を引掛位置よりも下方に向けるような過剰な回転は、フック挿通穴５０の下端縁にフック４が当接することで禁止される。また、ベース５に対するフック４の回転のうち、フック４の先端を退避位置よりも上方に向けるような過剰な回転は、フック挿通穴５０の上端縁にフック４が当接することで禁止される。さらに、ベース５とフック４との間には、フック４を引掛位置に復帰させるフック復帰ばね（図示せず）が介装されている。上記のフック復帰ばねとしては例えばねじりコイルばねを用いることができる。
【００２０】
また、ベース５は、キャビネット２の側壁２１に対し、図６（ｃ）に示すように引掛位置にあるフック４の先端を前方（図６（ｃ）での下方）へ向ける退避位置と、図６（ａ）に示すように引掛位置にあるフック４の先端を左右方向の内側へ向ける引掛位置との間で、回転可能に連結されている。このような連結は例えば周知の蝶番を用いて実現することができる。すなわち、フック４は、キャビネット２に対して先端を上下に変位させるように鉛直面内で回転可能なだけでなく、ベース５が上記のように回転することでキャビネット２に対して先端を前後に変位させるように水平面内でも回転可能となっている。フック４が引掛位置にある場合、ベース５が退避位置にあるときには、ベース５が引掛位置にあるときよりも、収納室２０の内側へのフック４の突出寸法が小さくなる。
【００２１】
ケーブル１１をフック４に直接に引っ掛ける場合、ケーブル１１の長さ方向での中央部を一方のフック４に引っ掛けるとともに、上記の中央部とケーブル１１の両端との間の２箇所をそれぞれ他方のフック４に引っ掛けるといったことが可能である。このようにケーブル１１を巻き取らずにキャビネット２に収納すれば、ケーブル１１を巻き取る場合に比べて手が汚れにくく、且つ、作業が容易である。
【００２２】
ここで、上記のようにケーブル１１をフック４に直接に引っ掛けてもよいが、ケーブル１１を図７に示すようなボビン６に巻回した上でボビン６をフック４に引っ掛けてもよい。ボビン６は、筒形状の本体部６１と、本体部６１の軸方向の両端からそれぞれ径方向の全周に突設された鍔部６２とを有する。すなわち、本体部６１の外周面にケーブル１１を巻回すれば、巻回されたケーブル１１の脱落であって本体部６１の軸方向への脱落は鍔部６２により阻止される。また、ボビン６をフック４に引っ掛ける際には、ボビン６の本体部６１の軸方向を左右方向に向けて、ボビン６を下方からフック４間に導入する。すると、図８（ａ）に示すように、ボビン６に押された各フック４がそれぞれ退避位置に向かって（つまり先端を上方に向けるように）回転することで、ボビン６をフック４間に導入することができる。さらにボビン６を上方に変位させると、各フック４がそれぞれ復帰してボビン６の本体部６１の内側に入り込むことで、各フック４に対するボビン６の引掛が完了する。ここで、各フック４において、引掛位置で下方に向けられる面は、先端に向かって上方に傾斜し、且つ、断面円弧形状の凸曲面となっている。これにより、各フック４の上記の面が例えば引掛位置で水平な面とされる場合に比べ、フック４の先端付近においてケーブル１１やボビン６を上方に変位させる際の引っかかりが発生しにくくなっている。
【００２３】
各フック４からボビン６を取り外す際には、ボビン６を上方に変位させることで各フック４を再び退避位置に変位させて取り外すことができるほか、図９に示すようにボビン６を前方へ変位させることで各ベース５をそれぞれ退避位置に変位させて取り外すこともできる。なお、図６等では各フック４と各ベース５とは左右で対称に動作しているが、ボビン６の動かし方によっては、例えば一方のフック４のみが退避位置とされたり、一方のベース５のみが退避位置とされるといったような、左右で非対称な動作となる可能性もある。
【００２４】
さらに、プラグ１２を引っ掛けておくことができる凹凸構造を収納室２０内に設けてもよいし、プラグ１２を着脱自在に保持する例えばクリップ状の構造をボビン６の本体部６１の内側に設けてもよい。
【００２５】
上記構成によれば、キャビネット２においてプラグ１２が収納される収納室２０内に、ケーブル１１が引っ掛けられるフック４が設けられているから、ケーブル１１をキャビネット２の収納室２０内に収納することによる見栄えの改善が可能となる。また、ケーブル１１がキャビネット２の収納室２０内に収納されることで、泥や埃によるケーブル１１の汚れが抑えられる。
【００２６】
さらに、フック４は、キャビネット２に対し、鉛直面内での回転と、水平面内での回転との両方が可能となっているので、上記２種類の回転のうち１種類のみ可能とされる場合や、フック４がキャビネット２に対して完全に固定される場合に比べ、フック４に対するケーブル１１やボビン６の引掛や取外しが容易である。
【００２７】
なお、図１０（ａ）（ｂ）に示すように、一般的な電源プラグ７を接続可能な電源コンセント１３や、過電流や漏電を検出してケーブル１１や電源コンセント１３への通電を停止させる回路遮断器（図示せず）を、収納室２０内に設けてもよい。
【００２８】
また、キャビネット２に対して各フック４を鉛直面内と水平面内との両方で回転可能とする手段としては、上記のようにキャビネット２に対して回転可能なベース５を用いる方法のほか、例えばボールジョイントのような構造を用いて図１１に示すようにしてもよい。図１１の例では、後方（図１１での右方）や下方へのフック４の過剰な回転をフック４に当接することによって禁止する禁止部２５がキャビネット２において側壁２１に設けられている。禁止部２５は、側壁２１とは別途の部品で構成してもよいし、エンボス加工などで側壁２１と連続一体に構成してもよい。
【符号の説明】
【００２９】
２  キャビネット
４  フック
５  ベース
６  ボビン
１１  ケーブル
１２  プラグ
２０  収納室
【図１】
2014072912.tif 000003
【図２】
2014072912.tif 000004
【図３】
2014072912.tif 000005
【図４】
2014072912.tif 000006
【図５】
2014072912.tif 000007
【図６】
2014072912.tif 000008
【図７】
2014072912.tif 000009
【図８】
2014072912.tif 000010
【図９】
2014072912.tif 000011
【図１０】
2014072912.tif 000012
【図１１】
2014072912.tif 000013